(57)【要約】  【課題】  単純な回路構成を有し、送信信号の高調波を減衰させる機能を備えたアンテナスイッチ回路およびそれを用いた無線通信機器を提供する。  【解決手段】  アンテナ端子１と、送信端子３と、受信端子２と、送信側スイッチ回路30と、アンテナ端子１と受信端子２との間の受信用ダイオード21と、受信用ダイオード21と受信端子２との間の受信用フィルタ22と、受信用フィルタ22と受信用ダイオード21との間の、受信用ダイオード21側から見た受信用フィルタ22のインピーダンスおよびオフ時の受信用ダイオード21の静電容量とともに送信信号の高調波の周波数帯域内の周波数で直列共振するインダクタンスを有する受信用インダクタ23とを具備するアンテナスイッチ回路100である。送信信号の高調波を受信用ダイオード21へ逃がすので、送信信号の高調波を減衰させる機能を有した単純な回路構成のアンテナスイッチ回路100である。【選択図】  図１
2008294699.tif 000002
【特許請求の範囲】
【請求項１】
アンテナ端子と、
送信回路に接続されて送信信号が入力される送信端子と、
受信回路に接続されて受信信号を出力する受信端子と、
前記アンテナ端子と前記送信端子との間に介在して、送信時に前記アンテナ端子と前記送信端子とを接続して前記送信信号を伝送し、受信時に前記アンテナ端子と前記送信端子との接続を解く送信側スイッチ回路と、
前記アンテナ端子と前記受信端子との間に介在して、受信時にオンとなって前記アンテナ端子と前記受信端子とを接続して前記受信信号を伝送し、送信時にオフとなって前記アンテナ端子と前記受信端子との接続を解く受信用ダイオードと、
該受信用ダイオードと前記受信端子との間に接続された、前記受信信号を通過させる受信用フィルタと、
該受信用フィルタと前記受信用ダイオードとの間に接続された、前記受信用ダイオード側から見た前記受信用フィルタのインピーダンスおよびオフ時の前記受信用ダイオードの静電容量とともに前記送信信号の高調波の周波数帯域内の周波数で直列共振するインダクタンスを有する受信用インダクタと
を具備することを特徴とするアンテナスイッチ回路。
【請求項２】
前記送信側スイッチ回路は、一方端が前記アンテナ端子に接続されて他方端が前記送信端子に接続されたインピーダンス反転用ストリップ線路と、該インピーダンス反転用ストリップ線路の前記他方端にアノードが接続されてカソードがアースに接続された送信用ダイオードとを具備しており、
前記受信用ダイオードは、カソードが前記アンテナ端子に接続されてアノードが前記受信用インダクタに接続されており、
前記受信用ダイオードの前記アノードに、制御回路に接続されて制御電圧が印加される制御端子が制御用インダクタを介して接続されていることを特徴とする請求項１に記載のアンテナスイッチ回路。
【請求項３】
前記送信側スイッチ回路は、一方端が前記アンテナ端子に接続されて他方端が前記送信端子に接続されたインピーダンス反転用ストリップ線路と、制御回路に接続されて制御電圧が印加される制御端子と、該制御端子にアノードが接続されて前記インピーダンス反転用ストリップ線路の前記他方端にカソードが接続された送信用ダイオードと、該送信用ダイオードの前記アノードおよびアースに両端が接続された送信用キャパシタとを具備しており、
前記受信用ダイオードは、アノードが前記アンテナ端子に接続されてカソードが前記受信用インダクタに接続されており、
前記受信用ダイオードの前記カソードに、アースに接続された制御用インダクタが接続されていることを特徴とする請求項１に記載のアンテナスイッチ回路。
【請求項４】
請求項１乃至３のうちいずれか１項に記載されたアンテナスイッチ回路と、
該アンテナスイッチ回路の前記アンテナ端子に接続されたアンテナと、
前記アンテナスイッチ回路の送信端子に接続された送信回路と、
前記アンテナスイッチ回路の受信端子に接続された受信回路と、
前記アンテナスイッチ回路の前記送信側スイッチ回路および前記受信用ダイオードを制御する制御回路と
を具備することを特徴とする無線通信機器。
【請求項５】
アンテナ端子と、
送信回路に接続されて送信信号が入力される送信端子と、
第１受信回路に接続されて第１受信信号を出力する第１受信端子と、
第２受信回路に接続されて第２受信信号を出力する第２受信端子と、
前記アンテナ端子と前記送信端子との間に介在して、送信時に前記アンテナ端子と前記送信端子とを接続して前記送信信号を伝送し、前記第１受信信号および前記第２受信信号の少なくとも一方の受信時に前記アンテナ端子と前記送信端子との接続を解く送信側スイッチ回路と、
前記第１受信端子と前記アンテナ端子との間に介在して、前記第１受信信号の受信時に前記アンテナ端子と前記第１受信端子とを接続して前記第１受信信号を伝送し、送信時および前記第２受信信号の受信時に前記アンテナ端子と前記第１受信端子との接続を解く第１受信スイッチ回路と、
前記アンテナ端子と前記第２受信端子との間に介在して、前記第２受信信号の受信時にオンとなって前記アンテナ端子と前記第２受信端子とを接続して前記第２受信信号を伝送し、送信時および前記第１受信信号の受信時にオフとなって前記アンテナ端子と前記第２受信端子との接続を解く第２受信用ダイオードと、
該第２受信用ダイオードと前記第２受信端子との間に接続された、前記第２受信信号を通過させる第２受信用フィルタと、
該第２受信用フィルタと前記第２受信用ダイオードとの間に接続された、前記第２受信用ダイオード側から見た前記第２受信用フィルタのインピーダンスおよびオフ時の前記第２受信用ダイオードの静電容量とともに前記送信信号の高調波の周波数帯域内の周波数で直列共振するインダクタンスを有する第２受信用インダクタと
を具備することを特徴とするアンテナスイッチ回路。
【請求項６】
前記送信側スイッチ回路は、カソードが前記アンテナ端子に接続されてアノードが前記送信端子に接続された送信用ダイオードと、制御回路に接続されて送信時に制御電圧が印加される送信制御端子と、該送信制御端子および前記送信用ダイオードの前記アノードの間に接続された送信制御用インダクタとを具備しており、
前記第１受信スイッチ回路は、一方端が前記アンテナ端子に接続されて他方端が前記第１受信端子に接続されたインピーダンス反転用ストリップ線路と、該インピーダンス反転用ストリップ線路の前記他方端にアノードが接続されてカソードがアースに接続された第１受信用ダイオードとを具備しており、
前記第２受信用ダイオードは、カソードが前記アンテナ端子に接続されてアノードが前記第２受信用インダクタに接続されており、
前記第２受信用ダイオードの前記アノードに、制御回路に接続されて前記第２受信信号の受信時に制御電圧が印加される受信制御端子が受信制御用インダクタを介して接続されていることを特徴とする請求項５に記載のアンテナスイッチ回路。
【請求項７】
請求項５または６に記載されたアンテナスイッチ回路と、
該アンテナスイッチ回路の前記アンテナ端子に接続されたアンテナと、
前記アンテナスイッチ回路の前記送信端子に接続された前記送信回路と、
前記アンテナスイッチ回路の前記第１受信端子に接続された前記第１受信回路と、
前記アンテナスイッチ回路の前記第２受信端子に接続された前記第２受信回路と、
前記アンテナスイッチ回路の前記送信側スイッチ回路および前記第１受信スイッチ回路および前記第２受信用ダイオードを制御する制御回路と
を具備することを特徴とする無線通信機器。
【発明の詳細な説明】
【技術分野】
【０００１】
本発明は、送信回路および受信回路とアンテナとの接続を切り替えるアンテナスイッチ回路およびそれを用いた無線通信機器に関するものであり、特に送信信号の高調波を減衰させる機能を有したアンテナスイッチ回路およびそれを用いた無線通信機器に関するものである。
【背景技術】
【０００２】
携帯電話等の無線通信機器においては、１つのアンテナを送信回路および受信回路で共用するために、送信回路および受信回路とアンテナとの接続を切り替えるアンテナスイッチ回路が用いられており、さまざまな方式のアンテナスイッチ回路が提案されている（例えば、特許文献１を参照。）。
【０００３】
特許文献１にて提案されたアンテナスイッチ回路は、アンテナに接続されるアンテナ端子と、送信回路に接続されて送信信号が入力される送信端子と、受信回路に接続されて受信信号を出力する受信端子と、前記アンテナ端子と前記送信端子との間に介在して、送信時に前記アンテナ端子と前記送信端子とを接続して前記送信信号を伝送し、受信時に前記アンテナ端子と前記送信端子との接続を解く送信側スイッチ回路と、前記アンテナ端子と前記受信端子との間に介在して、受信時に前記アンテナ端子と前記受信端子とを接続して前記受信信号を伝送し、送信時に前記アンテナ端子と前記受信端子との接続を解く受信側スイッチ回路とを有している。このアンテナスイッチ回路によれば、送信時にはアンテナを送信回路のみと接続して、受信時にはアンテナを受信回路のみと接続することができるので、１つのアンテナを送信回路および受信回路で共用することが可能となる。
【特許文献１】特開平10−126307号公報
【発明の開示】
【発明が解決しようとする課題】
【０００４】
しかしながら、特許文献１にて開示されたアンテナスイッチ回路においては、アンテナと送信回路および受信回路との接続を切り替える機能のみしか備えていないため、送信回路中のパワーアンプで発生して送信信号と共に送信端子に入力された送信信号の高調波が、何ら減衰されることなくアンテナ端子から出力されて、そのままアンテナから送信されてしまうという問題があった。
【０００５】
本発明はこのような従来の技術における問題点に鑑みて案出されたものであり、その目的は、単純な回路構成を有し、送信信号の高調波を減衰させる機能を備えたアンテナスイッチ回路およびそれを用いた無線通信機器を提供することにある。
【課題を解決するための手段】
【０００６】
本発明のアンテナスイッチ回路は、アンテナ端子と、送信回路に接続されて送信信号が入力される送信端子と、受信回路に接続されて受信信号を出力する受信端子と、前記アンテナ端子と前記送信端子との間に介在して、送信時に前記アンテナ端子と前記送信端子とを接続して前記送信信号を伝送し、受信時に前記アンテナ端子と前記送信端子との接続を解く送信側スイッチ回路と、前記アンテナ端子と前記受信端子との間に介在して、受信時にオンとなって前記アンテナ端子と前記受信端子とを接続して前記受信信号を伝送し、送信時にオフとなって前記アンテナ端子と前記受信端子との接続を解く受信用ダイオードと、該受信用ダイオードと前記受信端子との間に接続された、前記受信信号を通過させる受信用フィルタと、該受信用フィルタと前記受信用ダイオードとの間に接続された、前記受信用ダイオード側から見た前記受信用フィルタのインピーダンスおよびオフ時の前記受信用ダイオードの静電容量とともに前記送信信号の高調波の周波数帯域内の周波数で直列共振するインダクタンスを有する受信用インダクタとを具備することを特徴とするものである。
【０００７】
また、本発明のアンテナスイッチ回路は、上記構成において、前記送信側スイッチ回路は、一方端が前記アンテナ端子に接続されて他方端が前記送信端子に接続されたインピーダンス反転用ストリップ線路と、該インピーダンス反転用ストリップ線路の前記他方端にアノードが接続されてカソードがアースに接続された送信用ダイオードとを具備しており、前記受信用ダイオードは、カソードが前記アンテナ端子に接続されてアノードが前記受信用インダクタに接続されており、前記受信用ダイオードの前記アノードに、制御回路に接続されて制御電圧が印加される制御端子が制御用インダクタを介して接続されていることを特徴とするものである。
【０００８】
さらに、本発明のアンテナスイッチ回路は、上記構成において、前記送信側スイッチ回路は、一方端が前記アンテナ端子に接続されて他方端が前記送信端子に接続されたインピーダンス反転用ストリップ線路と、制御回路に接続されて制御電圧が印加される制御端子と、該制御端子にアノードが接続されて前記インピーダンス反転用ストリップ線路の前記他方端にカソードが接続された送信用ダイオードと、該送信用ダイオードの前記アノードおよびアースに両端が接続された送信用キャパシタとを具備しており、前記受信用ダイオードは、アノードが前記アンテナ端子に接続されてカソードが前記受信用インダクタに接続されており、前記受信用ダイオードの前記カソードに、アースに接続された制御用インダクタが接続されていることを特徴とするものである。
【０００９】
本発明の無線通信機器は、上記構成のアンテナスイッチ回路と、該アンテナスイッチ回路の前記アンテナ端子に接続されたアンテナと、前記アンテナスイッチ回路の送信端子に接続された送信回路と、前記アンテナスイッチ回路の受信端子に接続された受信回路と、前記アンテナスイッチ回路の前記送信側スイッチ回路および前記受信用ダイオードを制御する制御回路とを具備することを特徴とするものである。
【００１０】
本発明のアンテナスイッチ回路は、アンテナ端子と、送信回路に接続されて送信信号が入力される送信端子と、第１受信回路に接続されて第１受信信号を出力する第１受信端子と、第２受信回路に接続されて第２受信信号を出力する第２受信端子と、前記アンテナ端子と前記送信端子との間に介在して、送信時に前記アンテナ端子と前記送信端子とを接続して前記送信信号を伝送し、前記第１受信信号および前記第２受信信号の少なくとも一方の受信時に前記アンテナ端子と前記送信端子との接続を解く送信側スイッチ回路と、前記第１受信端子と前記アンテナ端子との間に介在して、前記第１受信信号の受信時に前記アンテナ端子と前記第１受信端子とを接続して前記第１受信信号を伝送し、送信時および前記第２受信信号の受信時に前記アンテナ端子と前記第１受信端子との接続を解く第１受信スイッチ回路と、前記アンテナ端子と前記第２受信端子との間に介在して、前記第２受信信号の受信時にオンとなって前記アンテナ端子と前記第２受信端子とを接続して前記第２受信信号を伝送し、送信時および前記第１受信信号の受信時にオフとなって前記アンテナ端子と前記第２受信端子との接続を解く第２受信用ダイオードと、該第２受信用ダイオードと前記第２受信端子との間に接続された、前記第２受信信号を通過させる第２受信用フィルタと、該第２受信用フィルタと前記第２受信用ダイオードとの間に接続された、前記第２受信用ダイオード側から見た前記第２受信用フィルタのインピーダンスおよびオフ時の前記第２受信用ダイオードの静電容量とともに前記送信信号の高調波の周波数帯域内の周波数で直列共振するインダクタンスを有する第２受信用インダクタとを具備することを特徴とするものである。
【００１１】
また、本発明のアンテナスイッチ回路は、上記構成において、前記送信側スイッチ回路は、カソードが前記アンテナ端子に接続されてアノードが前記送信端子に接続された送信用ダイオードと、制御回路に接続されて送信時に制御電圧が印加される送信制御端子と、該送信制御端子および前記送信用ダイオードの前記アノードの間に接続された送信制御用インダクタとを具備しており、前記第１受信スイッチ回路は、一方端が前記アンテナ端子に接続されて他方端が前記第１受信端子に接続されたインピーダンス反転用ストリップ線路と、該インピーダンス反転用ストリップ線路の前記他方端にアノードが接続されてカソードがアースに接続された第１受信用ダイオードとを具備しており、前記第２受信用ダイオードは、カソードが前記アンテナ端子に接続されてアノードが前記第２受信用インダクタに接続されており、前記第２受信用ダイオードの前記アノードに、制御回路に接続されて前記第２受信信号の受信時に制御電圧が印加される受信制御端子が受信制御用インダクタを介して接続されていることを特徴とするものである。
【００１２】
本発明の無線通信機器は、上記構成のアンテナスイッチ回路と、該アンテナスイッチ回路の前記アンテナ端子に接続されたアンテナと、前記アンテナスイッチ回路の前記送信端子に接続された前記送信回路と、前記アンテナスイッチ回路の前記第１受信端子に接続された前記第１受信回路と、前記アンテナスイッチ回路の前記第２受信端子に接続された前記第２受信回路と、前記アンテナスイッチ回路の前記送信側スイッチ回路および前記第１受信スイッチ回路および前記第２受信用ダイオードを制御する制御回路とを具備することを特徴とするものである。
【発明の効果】
【００１３】
本発明のアンテナスイッチ回路によれば、アンテナ端子と受信端子との間に介在して、受信時にオンとなってアンテナ端子と受信端子とを接続して受信信号を伝送し、送信時にオフとなってアンテナ端子と受信端子との接続を解く受信用ダイオードと、受信用ダイオードと受信端子との間に接続された、受信信号を通過させる受信用フィルタと、受信用フィルタと受信用ダイオードとの間に接続された、受信用ダイオード側から見た受信用フィルタのインピーダンスおよびオフ時の受信用ダイオードの静電容量とともに送信信号の高調波の周波数帯域内の周波数で直列共振するインダクタンスを有する受信用インダクタとを具備することから、送信時にオフとなった受信用ダイオードの静電容量および受信用インダクタのインダクタンスおよび受信用ダイオード側から見た受信用フィルタのインピーダンスによって、送信信号の高調波の周波数帯域内の周波数において直列共振が発生する。これにより、送信信号の高調波の周波数帯域内の周波数における送信端子側から受信用ダイオードを見たインピーダンスが大幅に低下するため、送信端子から入力された送信信号の高調波の殆どが受信用ダイオードへ流出するので、アンテナ端子から出力される送信信号の高調波を充分に減衰させることができる。このように、本発明のアンテナスイッチ回路によれば、送信端子に入力された送信信号の高調波を充分に減衰させた後にアンテナ端子から出力することができる。しかも、アンテナ端子と受信端子との接続をコントロールする受信用ダイオードおよび受信信号を通過させて不要な信号を減衰させる受信用フィルタを利用して直列共振回路を形成するため、新たに受信用インダクタのみを加えるだけで直列共振回路を形成できるので、アンテナスイッチ回路を構成する素子の増加が最小限に抑えられて、単純な回路構成を有したアンテナスイッチ回路を得ることができる。
【００１４】
また、本発明のアンテナスイッチ回路によれば、送信側スイッチ回路は、一方端がアンテナ端子に接続されて他方端が送信端子に接続されたインピーダンス反転用ストリップ線路と、インピーダンス反転用ストリップ線路の他方端にアノードが接続されてカソードがアースに接続された送信用ダイオードとを具備しており、受信用ダイオードは、カソードがアンテナ端子に接続されてアノードが受信用インダクタに接続されており、受信用ダイオードのアノードに、制御回路に接続されて制御電圧が印加される制御端子が制御用インダクタを介して接続されているときには、制御端子への制御電圧の印加の有無によってアンテナ端子と送信端子および受信端子との接続を切り替えることが可能なアンテナスイッチ回路を少ない素子数で構成することが可能となるので、単純な回路構成を有したアンテナスイッチ回路を得ることができる。
【００１５】
さらに、本発明のアンテナスイッチ回路によれば、送信側スイッチ回路は、一方端がアンテナ端子に接続されて他方端が送信端子に接続されたインピーダンス反転用ストリップ線路と、制御回路に接続されて制御電圧が印加される制御端子と、制御端子にアノードが接続されてインピーダンス反転用ストリップ線路の他方端にカソードが接続された送信用ダイオードと、送信用ダイオードのアノードおよびアースに両端が接続された送信用キャパシタとを具備しており、受信用ダイオードは、アノードがアンテナ端子に接続されてカソードが受信用インダクタに接続されており、受信用ダイオードのカソードに、アースに接続された制御用インダクタが接続されているときには、制御端子への制御電圧の印加の有無によってアンテナ端子と送信端子および受信端子との接続を切り替えることが可能なアンテナスイッチ回路を少ない素子数で構成することが可能となるので、単純な回路構成を有したアンテナスイッチ回路を得ることができる。
【００１６】
本発明の無線通信機器によれば、このような構成のアンテナスイッチ回路と、アンテナスイッチ回路のアンテナ端子に接続されたアンテナと、アンテナスイッチ回路の送信端子に接続された送信回路と、アンテナスイッチ回路の受信端子に接続された受信回路と、アンテナスイッチ回路の送信側スイッチ回路および受信用ダイオードを制御する制御回路とを具備することから、送信信号の高調波をアンテナスイッチ回路で減衰させることができるので、アンテナから送信される送信信号の高調波のレベルを大幅に低減することができる。
【００１７】
本発明のアンテナスイッチ回路は、アンテナ端子と第２受信端子との間に接続された、第２受信信号の受信時にオンとなってアンテナ端子と第２受信端子とを接続して第２受信信号を伝送し、送信時および第１受信信号の受信時にオフとなってアンテナ端子と第２受信端子との接続を解く第２受信用ダイオードと、第２受信用ダイオードと第２受信端子との間に接続された、第２受信信号を通過させる第２受信用フィルタと、第２受信用フィルタと第２受信用ダイオードとの間に接続された、第２受信用ダイオード側から見た第２受信用フィルタのインピーダンスおよびオフ時の第２受信用ダイオードの静電容量とともに送信信号の高調波の周波数帯域内の周波数で直列共振するインダクタンスを有する第２受信用インダクタとを具備することから、送信時において、オフとなった第２受信用ダイオードの静電容量および第２受信用インダクタのインダクタンスおよび第２受信用ダイオード側から見た第２受信用フィルタのインピーダンスによって、送信信号の高調波の周波数帯域内の周波数において直列共振が発生する。これにより、送信信号の高調波の周波数帯域内の周波数における送信端子側から第２受信用ダイオードを見たインピーダンスが大幅に低下するため、送信端子から入力された送信信号の高調波の殆どが第２受信用ダイオードへ流出するので、アンテナ端子から出力される送信信号の高調波は充分に減衰していることになる。このように、本発明のアンテナスイッチ回路によれば、送信端子に入力された送信信号の高調波を充分に減衰させた後にアンテナ端子から出力することができる。しかも、アンテナ端子と第２受信端子との接続をコントロールする第２受信用ダイオードおよび受信信号を通過させて不要な信号を減衰させる第２受信用フィルタを利用して直列共振回路を形成するため、新たに第２受信用インダクタのみを加えるだけで直列共振回路を形成できるので、アンテナスイッチ回路を構成する素子の増加が最小限に抑えられて、単純な回路構成を有したアンテナスイッチ回路を得ることができる。
【００１８】
また、本発明のアンテナスイッチ回路によれば、送信側スイッチ回路は、カソードがアンテナ端子に接続されてアノードが送信端子に接続された送信用ダイオードと、制御回路に接続されて送信時に制御電圧が印加される送信制御端子と、送信制御端子および送信用ダイオードのアノードの間に接続された送信制御用インダクタとを具備しており、第１受信スイッチ回路は、一方端がアンテナ端子に接続されて他方端が第１受信端子に接続されたインピーダンス反転用ストリップ線路と、インピーダンス反転用ストリップ線路の他方端にアノードが接続されてカソードがアースに接続された第１受信用ダイオードとを具備しており、第２受信用ダイオードは、カソードがアンテナ端子に接続されてアノードが第２受信用インダクタに接続されており、第２受信用ダイオードのアノードに、制御回路に接続されて第２受信信号の受信時に制御電圧が印加される受信制御端子が受信制御用インダクタを介して接続されているときには、送信制御端子および受信制御端子への制御電圧の印加の有無によってアンテナ端子と送信端子および第１受信端子および第２受信端子との接続を切り替えることが可能なアンテナスイッチ回路を少ない素子数で構成することが可能となるので、単純な回路構成を有したアンテナスイッチ回路を得ることができる。
【００１９】
本発明の無線通信機器によれば、このような構成のアンテナスイッチ回路と、アンテナスイッチ回路のアンテナ端子に接続されたアンテナと、アンテナスイッチ回路の送信端子に接続された送信回路と、アンテナスイッチ回路の第１受信端子に接続された第１受信回路と、アンテナスイッチ回路の第２受信端子に接続された第２受信回路と、アンテナスイッチ回路の送信側スイッチ回路および第１受信スイッチ回路および第２受信用ダイオードを制御する制御回路とを具備することから、送信信号の高調波をアンテナスイッチ回路で減衰させることができるので、アンテナから送信される送信信号の高調波のレベルを大幅に低減することができる。
【発明を実施するための最良の形態】
【００２０】
以下、本発明のアンテナスイッチ回路を添付の図面を参照しつつ詳細に説明する。
【００２１】
（実施の形態の第１の例）
図１は本発明のアンテナスイッチ回路の実施の形態の一例およびそれを用いた無線通信機器を示す回路図である。
【００２２】
本例のアンテナスイッチ回路100は、図１に示すように、アンテナ101に接続されたアンテナ端子１と、送信回路103に接続されて送信信号が入力される送信端子３と、受信回路102に接続されて受信信号を出力する受信端子２と、アンテナ端子１と送信端子３との間に介在して、送信時にアンテナ端子１と送信端子３とを接続して送信信号を伝送し、受信時にアンテナ端子１と送信端子３との接続を解く送信側スイッチ回路30と、アンテナ端子１と受信端子２との間に介在して、受信時にオンとなってアンテナ端子１と受信端子２とを接続して受信信号を伝送し、送信時にオフとなってアンテナ端子１と受信端子２との接続を解く受信用ダイオード21と、受信用ダイオード21と受信端子２との間に接続された、受信信号を通過させる受信用フィルタ22と、受信用フィルタ22と受信用ダイオード21との間に接続された、受信用ダイオード21側から見た受信用フィルタ22のインピーダンスおよびオフ時の受信用ダイオード21の静電容量とともに送信信号の高調波の周波数帯域内の周波数で直列共振するインダクタンスを有する受信用インダクタ23とを具備している。
【００２３】
また、本例のアンテナスイッチ回路100は、図１に示すように、送信側スイッチ回路30は、一方端がアンテナ端子１に接続されて他方端が送信端子３に接続されたインピーダンス反転用ストリップ線路91と、インピーダンス反転用ストリップ線路91の他方端にアノードが接続されてカソードがアースに接続された送信用ダイオード32とを具備しており、受信用ダイオード21は、カソードがアンテナ端子１に接続されてアノードが受信用インダクタ23に接続されており、受信用ダイオード21のアノードに、制御回路104に接続されて制御電圧が印加される制御端子４が制御用インダクタ41を介して接続されている。
【００２４】
さらに、本例のアンテナスイッチ回路100は、図１に示すように、送信側スイッチ回路30とアンテナ端子１および送信端子３との間にＤＣカット用キャパシタ97がそれぞれ挿入されており、インピーダンス反転用ストリップ線路91と送信用ダイオード32のアノードとの間にインピーダンス反転用インダクタ92が挿入されており、インピーダンス反転用インダクタ92の両端とアースとの間にそれぞれインピーダンス反転用キャパシタ93が挿入されており、送信用ダイオード32のカソードとアースとの間に直列共振形成用キャパシタ94および電流制御用抵抗95が挿入されており、制御端子４とアースとの間にバイパスキャパシタ96が挿入されている。
【００２５】
このような本例のアンテナスイッチ回路100では、受信時には制御端子４に正の制御電圧を印加する。すると、制御電流が制御端子４から制御用インダクタ41，受信用ダイオード21，インピーダンス反転用ストリップ線路91，インピーダンス反転用インダクタ92，送信用ダイオード32および電流制御用抵抗95を介してアースへと流れて受信用ダイオード21および送信用ダイオード32がオンになる。ここで、インピーダンス反転用ストリップ線路91およびインピーダンス反転用インダクタ92および２個のインピーダンス反転用キャパシタ93の全体でインピーダンス反転回路90が構成されているので、送信用ダイオード32がオンになってインピーダンス反転回路90の送信端子３側の端部が接地されると、アンテナ端子１から見たインピーダンス反転回路90のインピーダンスが高くなる。よって、アンテナ端子１に入力された受信信号はインピーダンス反転回路90には殆ど流入せず、受信用ダイオード21，受信用インダクタ23および受信用フィルタ22を介して受信端子２から出力される。
【００２６】
また、本例のアンテナスイッチ回路100では、送信時には制御端子４に制御電圧を印加しない。すると、受信用ダイオード21および送信用ダイオード32はどちらもオフであり高インピーダンスであるため、送信端子３に入力された送信信号は、ＤＣカット用キャパシタ97，インピーダンス反転用インダクタ92，インピーダンス反転用ストリップ線路91およびＤＣカット用キャパシタ97を介してアンテナ端子１から出力される。
【００２７】
このようにして、本例のアンテナスイッチ回路100は、制御端子４への制御電圧の印加の有無によって、アンテナ端子１と送信端子３及び受信端子２との接続を切り替えるアンテナスイッチ回路100として機能する。
【００２８】
本例のアンテナスイッチ回路100によれば、受信用フィルタ22と受信用ダイオード21との間に接続された、受信用ダイオード21側から見た受信用フィルタ22のインピーダンスおよびオフ時の受信用ダイオード21の静電容量とともに送信信号の高調波の周波数帯域内の周波数で直列共振するインダクタンスを有する受信用インダクタ23を具備することから、送信時にオフとなった受信用ダイオード21の静電容量および受信用インダクタ23のインダクタンスおよび受信用ダイオード21側から見た受信用フィルタ22のインピーダンスによって、送信信号の高調波の周波数帯域内の周波数において直列共振が発生する。これにより、送信信号の高調波の周波数帯域内の周波数における送信側スイッチ回路30側から受信用ダイオード21を見たインピーダンスが大幅に低下するため、送信端子３に入力された送信信号の高調波の殆どが受信用ダイオード21へ流出するので、アンテナ端子１から出力される送信信号の高調波は充分に減衰していることになる。このように、本例のアンテナスイッチ回路100によれば、送信端子３に入力された送信信号の高調波を充分に減衰させた後にアンテナ端子１から出力することができる。しかも、アンテナ端子１と受信端子２との接続をコントロールする受信用ダイオード21および受信信号を通過させて不要な信号を減衰させる受信用フィルタ22を利用して直列共振回路を形成するため、新たに受信用インダクタ23のみを加えるだけで直列共振回路を形成できるので、アンテナスイッチ回路100を構成する素子の増加が最小限に抑えられて、単純な回路構成を有したアンテナスイッチ回路100を得ることができる。
【００２９】
また、本例のアンテナスイッチ回路100によれば、送信側スイッチ回路30は、一方端がアンテナ端子１に接続されて他方端が送信端子３に接続されたインピーダンス反転用ストリップ線路91と、インピーダンス反転用ストリップ線路91の他方端にアノードが接続されてカソードがアースに接続された送信用ダイオード32とを具備しており、受信用ダイオード21は、カソードがアンテナ端子１に接続されてアノードが受信用インダクタ23に接続されており、受信用ダイオード21のアノードに、制御回路104に接続されて制御電圧が印加される制御端子４が制御用インダクタ41を介して接続されていることから、制御端子４への制御電圧の印加の有無によってアンテナ端子１と送信端子３および受信端子２との接続を切り替えることが可能なアンテナスイッチ回路100を少ない素子数で構成することが可能となるので、さらに単純な回路構成を有したアンテナスイッチ回路100を得ることができる。
【００３０】
そして、本例のアンテナスイッチ回路100を用いた無線通信機器によれば、送信信号の高調波をアンテナスイッチ回路100で減衰させることができるので、アンテナ101から送信される送信信号の高調波のレベルを大幅に低減することができる。
【００３１】
本例のアンテナスイッチ回路100においては、図１に示すように、インピーダンス反転用ストリップ線路91およびその他方端に接続されたインピーダンス反転用インダクタ92およびその両端とアースとの間にそれぞれ接続された２個のインピーダンス反転用キャパシタ93によってインピーダンス反転回路90が構成されており、インピーダンス反転回路90全体で受信信号の波長の１／４の電気長になるようにされている。そして、送信用ダイオード32がオンとなってインピーダンス反転回路90の送信端子３側の端部が接地されと、アンテナ端子１側から見たインピーダンス反転回路90のインピーダンスが高くなり、アンテナ端子１に入力された受信信号がインピーダンス反転回路90に流入するのを防止することができる。また、インピーダンス反転用ストリップ線路91にインピーダンス反転用インダクタ92および２個のインピーダンス反転用キャパシタ93が付加されてインピーダンス反転回路90が構成されていることによって、インピーダンス反転用ストリップ線路91のみでインピーダンス反転回路90が構成される場合と比較して、インピーダンス反転用ストリップ線路91の長さを短縮することができ、アンテナスイッチ回路100を小型化することができる。
【００３２】
また、インピーダンス反転用ストリップ線路91は、インピーダンス反転回路90の構成要素の一つであり、受信信号の波長の１／４よりも短い電気長を有している。このようなインピーダンス反転用ストリップ線路91としては、例えばストリップラインやマイクロストリップラインのような分布定数線路を用いることができる。なお、インピーダンス反転用ストリップ線路91のみでインピーダンス反転回路90を構成してもよく、その場合はインピーダンス反転用ストリップ線路91の電気長を受信信号の波長の１／４にすればよい。
【００３３】
さらに、送信用ダイオード32および受信用ダイオード21は、制御端子４への制御電圧の印加の有無によってオンとオフが切り替わり、これによってアンテナ端子１と送信端子３及び受信端子２との接続を切り替える機能を有する。このような送信用ダイオード32および受信用ダイオード21としては、例えばＰＩＮダイオードが好適に使用できる。
【００３４】
またさらに、直列共振形成用キャパシタ94は、送信用ダイオード32のカソードとアースとの間に挿入されており、直列共振形成用キャパシタ94の静電容量とオン時の送信用ダイオード32のインダクタンスとで受信信号の周波数で直列共振することにより、インピーダンス反転回路90の送信端子３側の端部を確実に接地する機能を有する。
【００３５】
さらにまた、電流制御用抵抗95は送信用ダイオード32のカソードとアースとの間に挿入されており、制御電流の大きさを調整する機能を有する。
【００３６】
またさらに、ＤＣカット用キャパシタ97は、制御端子４に印加された制御電流がアンテナ端子１および送信端子３に流入するのを防止している。
【００３７】
さらにまた、受信用フィルタ22は、受信信号を通過させて他の信号を減衰させる機能を有し、例えば、弾性表面波フィルタ等の帯域通過フィルタが好適に使用できる。
【００３８】
またさらに、受信用インダクタ23は、受信用インダクタ23のインダクタンスが、受信用インダクタ23からみた受信用フィルタ22のインピーダンスおよびオフ時の受信用ダイオード21の静電容量とともに送信信号の高調波の周波数帯域内の周波数で直列共振することによって、送信信号の高調波の周波数帯域内の周波数における送信側スイッチ回路30側から受信用ダイオード21を見たインピーダンスを低下させて、送信信号の高調波を受信用ダイオード21へ流出させる機能を有する。これによって、送信端子３に入力された送信信号の高調波を充分に減衰させた後にアンテナ端子１から出力することが可能となる。この受信用インダクタ23のインダクタンスは、オフ時の受信用ダイオード21の静電容量および受信用インダクタ23から見た受信用フィルタ22のインピーダンスを測定あるいは算出した後に、これらとともに送信信号の高調波の周波数帯域内の周波数で直列共振するインダクタンスの値を計算することで決定することができる。この受信用インダクタ23としては、チップインダクタを用いることも可能であり、また、ストリップラインやマイクロストリップライン等の各種分布定数線路を用いて受信用インダクタ23を構成しても構わない。なお、受信用ダイオード21に流入した送信信号の高調波は、主に受信用インダクタ23および受信用フィルタ22を介してアースへと流れる。
【００３９】
またさらに、制御用インダクタ41は、受信信号の周波数で充分に高インピーダンスになるように設計されており、受信信号が制御端子４へ漏れるのを防止する機能を有する。このため、送信信号の高調波の周波数帯域内の周波数においても高インピーダンスであるので、送信信号の高調波をアースへ逃がすことには殆ど寄与しないが、制御用インダクタ41およびバイパスキャパシタ96も直列共振の周波数に多少は影響を与えるので、これらも考慮して計算を行って受信用インダクタ23のインダクタンスを決定することにより、より正確に直列共振周波数をコントロールすることができる。なお、制御端子４に印加された制御電圧による制御電流は直流なので制御用インダクタ41を通過する。
【００４０】
バイパスキャパシタ96は、制御端子４を高周波的に接地して、そのインピーダンスを確定する機能を有する。また、制御端子４から高周波ノイズが流入した場合に、それをアースに逃がす機能も有する。
【００４１】
（実施の形態の第２の例）
図２は本発明のアンテナスイッチ回路の実施の形態の他の例およびそれを用いた無線通信機器を示す回路図である。なお、本例においては、前述した第１の例と異なる点のみについて説明し、同様の構成要素については同一の参照符号を用いて重複する説明を省略する。
【００４２】
本例のアンテナスイッチ回路200は、図２に示すように、送信側スイッチ回路30は、一方端がアンテナ端子１に接続されて他方端が送信端子３に接続されたインピーダンス反転用ストリップ線路91と、制御回路104に接続されて制御電圧が印加される制御端子４と、制御端子４にアノードが接続されてインピーダンス反転用ストリップ線路91の他方端にカソードが接続された送信用ダイオード32と、送信用ダイオード32のアノードおよびアースに両端が接続された送信用キャパシタ33とを具備しており、受信用ダイオード21は、アノードがアンテナ端子１に接続されてカソードが受信用インダクタ23に接続されており、受信用ダイオード21のカソードに、アースに接続された制御用インダクタ41が接続されている。
【００４３】
また、本例のアンテナスイッチ回路200において、送信用キャパシタ33は、制御端子４に印加された制御電圧による制御電流が電流制御用抵抗95を介してアースに逃げるのを防止するとともに、送信用キャパシタ33の静電容量とオン時の送信用ダイオード32のインダクタンスとで受信信号の周波数で直列共振することにより、インピーダンス反転回路90の送信端子３側の端部を確実に接地する機能を有する。
【００４４】
このような構成を有する本例のアンテナスイッチ回路200では、受信時には制御端子４に正の制御電圧を印加する。すると、制御電流が制御端子４から電流制御用抵抗95，送信用ダイオード32，インピーダンス反転用インダクタ92，インピーダンス反転用ストリップ線路91，受信用ダイオード21および制御用インダクタ41を介してアースへと流れて送信用ダイオード32および受信用ダイオード21がオンになる。そして、オン時の送信用ダイオード32のインダクタンスおよび送信用キャパシタ33の静電容量が受信信号の周波数で直列共振することにより、インピーダンス反転回路90の送信端子３側の端部が接地されて、アンテナ端子１から見たインピーダンス反転回路90のインピーダンスが高くなる。よって、アンテナ端子１に入力された受信信号はインピーダンス反転回路90には殆ど流入せず、受信用ダイオード21，受信用インダクタ23および受信用フィルタ22を介して受信端子２から出力される。
【００４５】
また、本例のアンテナスイッチ回路200では、送信時には制御端子４に制御電圧を印加しない。すると、受信用ダイオード21および送信用ダイオード32はどちらもオフであり高インピーダンスであるため、送信端子３に入力された送信信号は、ＤＣカット用キャパシタ97，インピーダンス反転用インダクタ92，インピーダンス反転用ストリップ線路91およびＤＣカット用キャパシタ97を介してアンテナ端子１から出力される。
【００４６】
このようにして、本例のアンテナスイッチ回路200は、制御端子４への制御電圧の印加の有無によって、アンテナ端子１と送信端子３及び受信端子２との接続を切り替えるアンテナスイッチ回路200として機能する。
【００４７】
このような本例のアンテナスイッチ回路200によれば、前述した第１の例のスイッチ回路と全く同様に、送信端子３に入力された送信信号の高調波を充分に減衰させた後にアンテナ端子１から出力することができる。しかも、単純な回路構成を有したアンテナスイッチ回路200を得ることができる。
【００４８】
そして、本例のアンテナスイッチ回路200を用いた無線通信機器によれば、送信信号の高調波をアンテナスイッチ回路200で減衰させることができるので、アンテナ101から送信される送信信号の高調波のレベルを大幅に低減することができる。
【００４９】
（実施の形態の第３の例）
図３は本発明のアンテナスイッチ回路の実施の形態のさらに他の例およびそれを用いた無線通信機器を示す回路図である。なお、本例においては、前述した第１および第２の例と異なる点のみについて説明し、同様の構成要素については同一の参照符号を用いて重複する説明を省略する。
【００５０】
本例のアンテナスイッチ回路300は、図３に示すように、アンテナ101に接続されたアンテナ端子１と、送信回路103に接続されて送信信号が入力される送信端子３と、第１受信回路105に接続されて第１受信信号を出力する第１受信端子５と、第２受信回路106に接続されて第２受信信号を出力する第２受信端子６と、アンテナ端子１と送信端子３との間に介在して、送信時にアンテナ端子１と送信端子３とを接続して送信信号を伝送し、第１受信信号および第２受信信号の少なくとも一方の受信時にアンテナ端子１と送信端子３との接続を解く送信側スイッチ回路30と、第１受信端子５とアンテナ端子１との間に介在して、第１受信信号の受信時にアンテナ端子１と第１受信端子５とを接続して第１受信信号を伝送し、送信時および第２受信信号の受信時にアンテナ端子１と第１受信端子５との接続を解く第１受信スイッチ回路50と、アンテナ端子１と第２受信端子６との間に介在して、第２受信信号の受信時にオンとなってアンテナ端子１と第２受信端子６とを接続して第２受信信号を伝送し、送信時および第１受信信号の受信時にオフとなってアンテナ端子１と第２受信端子６との接続を解く第２受信用ダイオード61と、第２受信用ダイオード61と第２受信端子６との間に接続された、第２受信信号を通過させる第２受信用フィルタ62と、第２受信用フィルタ62と第２受信用ダイオード61との間に接続された、第２受信用ダイオード61側から見た第２受信用フィルタ62のインピーダンスおよびオフ時の第２受信用ダイオード61の静電容量とともに送信信号の高調波の周波数帯域内の周波数で直列共振するインダクタンスを有する第２受信用インダクタ63とを具備している。
【００５１】
また、本例のアンテナスイッチ回路300は、図３に示すように、送信側スイッチ回路30は、カソードがアンテナ端子１に接続されてアノードが送信端子３に接続された送信用ダイオード32と、制御回路104に接続されて送信時に制御電圧が印加される送信制御端子７と、送信制御端子７および送信用ダイオード32のアノードの間に接続された送信制御用インダクタ71とを具備しており、第１受信スイッチ回路50は、一方端がアンテナ端子１に接続されて他方端が第１受信端子５に接続されたインピーダンス反転用ストリップ線路91と、インピーダンス反転用ストリップ線路91の他方端にアノードが接続されてカソードがアースに接続された第１受信用ダイオード52とを具備しており、第２受信用ダイオード61は、カソードがアンテナ端子１に接続されてアノードが第２受信用インダクタ63に接続されており、第２受信用ダイオード61のアノードに、制御回路104に接続されて第２受信信号の受信時に制御電圧が印加される受信制御端子８が受信制御用インダクタ81を介して接続されている。
【００５２】
さらに、本例のアンテナスイッチ回路300は、図３に示すように、送信側スイッチ回路30とアンテナ端子１および送信端子３との間にＤＣカット用キャパシタ97がそれぞれ挿入されており、送信制御端子７とアースとの間にバイパスキャパシタ96が挿入されており、インピーダンス反転用ストリップ線路91と第１受信用ダイオード52のアノードとの間にインピーダンス反転用インダクタ92が挿入されており、インピーダンス反転用インダクタ92の両端とアースとの間にそれぞれインピーダンス反転用キャパシタ93が挿入されており、第１受信用ダイオード52のカソードとアースとの間に直列共振形成用キャパシタ94および電流制御用抵抗95が挿入されており、第１受信スイッチ回路50と第１受信端子５との間にＤＣカット用キャパシタ97が挿入されており、受信制御用インダクタ81と受信制御端子８との間に電流制御用抵抗95が挿入されており、受信制御端子８とアースとの間にバイパスキャパシタ96が挿入されている。
【００５３】
このような本例のアンテナスイッチ回路300では、第１受信信号の受信時には送信制御端子７および受信制御端子８のどちらにも制御電圧を印加しない。よって、送信用ダイオード32，第１受信用ダイオード52および第２受信用ダイオード61は全てオフである。送信用ダイオード32および第２受信用ダイオード61はどちらもオフであるため、アンテナ端子１から見た送信用ダイオード32および第２受信用ダイオード61のインピーダンスはどちらも高くなる。よって、アンテナ端子１に入力された第１受信信号は、送信用ダイオード32および第２受信用ダイオード61には殆ど流入せず、ＤＣカット用キャパシタ97，インピーダンス反転用ストリップ線路91，インピーダンス反転用インダクタ92およびＤＣカット用キャパシタ97を介して第１受信端子５から出力される。
【００５４】
また、本例のアンテナスイッチ回路300では、第２受信信号の受信時には、送信制御端子７には制御電圧を印加せず、受信制御端子８に正の制御電圧を印加する。すると、制御電流が受信制御端子８から電流制御用抵抗95，受信制御用インダクタ81，第２受信用ダイオード61，インピーダンス反転用ストリップ線路91，インピーダンス反転用インダクタ92，第１受信用ダイオード52および電流制御用抵抗95を介してアースへと流れて、第２受信用ダイオード61および第１受信用ダイオード52がオンとなり、送信用ダイオード32はオフのままである。ここで、インピーダンス反転用ストリップ線路91およびその他方端に接続されたインピーダンス反転用インダクタ92およびその両端とアースとの間にそれぞれ接続された２個のインピーダンス反転用キャパシタ93でインピーダンス反転回路90が構成されているため、オン時の第１受信用ダイオード52のインダクタンスおよび直列共振形成用キャパシタ94の静電容量が直列共振してインピーダンス反転回路90の第１受信端子５側の端部が接地されると、アンテナ端子１側から見たインピーダンス反転回路90のインピーダンスが高くなる。よって、アンテナ端子１に入力された第２受信信号は、ＤＣカット用キャパシタ97，第２受信用ダイオード61，第２受信用インダクタ63および第２受信用フィルタ62を介して第２受信端子６から出力される。
【００５５】
さらに、本例のアンテナスイッチ回路300では、送信時には、受信制御端子８には制御電圧を印加せず、送信制御端子７に制御電圧を印加する。すると、制御電流が送信制御端子７から送信制御用インダクタ71，送信用ダイオード32，インピーダンス反転用ストリップ線路91，インピーダンス反転用インダクタ92，第１受信用ダイオード52および電流制御用抵抗95を介してアースへと流れて、送信用ダイオード32および第１受信用ダイオード52がオンとなり、第２受信用ダイオード61はオフのままである。そして、オン時の第１受信用ダイオード52のインダクタンスおよび直列共振形成用キャパシタ94の静電容量が直列共振することによって、インピーダンス反転回路90の第１受信端子５側の端部が接地されると、アンテナ端子１側から見たインピーダンス反転回路90のインピーダンスが高くなる。よって、送信端子３に入力された送信信号は、ＤＣカット用キャパシタ97，送信用ダイオード32およびＤＣカット用キャパシタ97を介してアンテナ端子１から出力される。
【００５６】
このようにして、本例のアンテナスイッチ回路300は、送信制御端子７および受信制御端子８への制御電圧の印加の有無によって、アンテナ端子１と送信端子３及び第１受信端子５および第２受信端子６との接続を切り替えるアンテナスイッチ回路300として機能する。
【００５７】
なお、本例のアンテナスイッチ回路300に対して、第１受信回路105としては、例えばＤＣＳ（Digital Cellular System）用の受信回路が例示でき、第２受信回路106としては、例えばＰＣＳ（Personal Communications Service）用の受信回路が例示でき、送信回路103としては、例えばＤＣＳおよびＰＣＳ用の送信回路103が例示できる。
【００５８】
本例のアンテナスイッチ回路300によれば、第２受信用フィルタ62と第２受信用ダイオード61との間に接続された、第２受信用ダイオード61側から見た第２受信用フィルタ62のインピーダンスおよびオフ時の第２受信用ダイオード61の静電容量とともに送信信号の高調波の周波数帯域内の周波数で直列共振するインダクタンスを有する第２受信用インダクタ63とを具備することから、送信時にオフとなった第２受信用ダイオード61の静電容量および第２受信用インダクタ63のインダクタンスおよび第２受信用インダクタ63側から見た第２受信用フィルタ62のインピーダンスによって、送信信号の高調波の周波数帯域内の周波数において直列共振が発生する。これにより、送信信号の高調波の周波数帯域内の周波数における送信側スイッチ回路30側から第２受信用ダイオード61を見たインピーダンスが大幅に低下するため、送信端子３から入力された送信信号の高調波の殆どが第２受信用ダイオード61に流出するので、アンテナ端子１から出力される送信信号の高調波は充分に減衰していることになる。このように、本例のアンテナスイッチ回路300によれば、送信端子３に入力された送信信号の高調波を充分に減衰させた後にアンテナ端子１から出力することができる。しかも、アンテナ端子１と第２受信端子６との接続をコントロールする第２受信用ダイオード61および第２受信信号を通過させて不要な信号を減衰させる第２受信用フィルタ62を利用して直列共振回路を形成するため、新たに第２受信用インダクタ63のみを加えるだけで直列共振回路を形成できるので、アンテナスイッチ回路300を構成する素子の増加が最小限に抑えられて、単純な回路構成を有したアンテナスイッチ回路300を得ることができる。
【００５９】
また、本例のアンテナスイッチ回路300によれば、送信側スイッチ回路30は、カソードがアンテナ端子１に接続されてアノードが送信端子３に接続された送信用ダイオード32と、制御回路104に接続されて送信時に制御電圧が印加される送信制御端子７と、送信制御端子７および送信用ダイオード32のアノードの間に接続された送信制御用インダクタ71とを具備しており、第１受信スイッチ回路50は、一方端がアンテナ端子１に接続されて他方端が第１受信端子５に接続されたインピーダンス反転用ストリップ線路91と、インピーダンス反転用ストリップ線路91の他方端にアノードが接続されてカソードがアースに接続された第１受信用ダイオード52とを具備しており、第２受信用ダイオード61は、カソードがアンテナ端子１に接続されてアノードが第２受信用インダクタ63に接続されており、第２受信用ダイオード61のアノードに、制御回路104に接続されて第２受信信号の受信時に制御電圧が印加される受信制御端子８が受信制御用インダクタ81を介して接続されていることから、送信制御端子７および受信制御端子８への制御電圧の印加の有無によってアンテナ端子１と送信端子３および第１受信端子５および第２受信端子６との接続を切り替えることが可能なアンテナスイッチ回路300を少ない素子数で構成することが可能となるので、単純な回路構成を有したアンテナスイッチ回路300を得ることができる。
【００６０】
そして、本例のアンテナスイッチ回路300を用いた無線通信機器によれば、送信信号の高調波をアンテナスイッチ回路300で減衰させることができるので、アンテナ101から送信される送信信号の高調波のレベルを大幅に低減することができる。
【００６１】
本例のアンテナスイッチ回路300において、第１受信用ダイオード52および第２受信用ダイオード61は、送信制御端子７および受信制御端子８に印加される制御電圧の有無に応じてアンテナ端子１と第１受信端子５および第２受信端子６との接続を切り替える機能を有し、例えばＰＩＮダイオードが好適に使用できる。
【００６２】
また、第２受信用フィルタ62は、第２受信信号を通過させて他の信号を減衰させる機能を有し、例えば、弾性表面波フィルタ等の帯域通過フィルタが好適に使用できる。
【００６３】
さらに、第２受信用インダクタ63は、第２受信用インダクタ63のインダクタンスが、第２受信用インダクタ63側からみた第２受信用フィルタ62のインピーダンスおよびオフ時の第２受信用ダイオード61のインダクタンスとともに送信信号の高調波の周波数帯域内の周波数で直列共振することによって、送信信号の高調波の周波数帯域内の周波数における送信側スイッチ回路30側から第２受信用ダイオード61を見たインピーダンスを低下させて、送信信号の高調波を第２受信用ダイオード61へ流出させる機能を有する。これによって、送信端子３に入力された送信信号の高調波を充分に減衰させた後にアンテナ端子１から出力することが可能となる。この第２受信用インダクタ63のインダクタンスは、第２受信用インダクタ63からみた第２受信用フィルタ62のインピーダンスおよびオフ時の第２受信用ダイオード61の静電容量を測定または算出した後に、これらとともに送信信号の高調波の周波数帯域内の周波数で直列共振するインダクタンスの値を計算することで決定することができる。この第２受信用インダクタ63としては、チップインダクタを用いることも可能であり、また、ストリップラインやマイクロストリップライン等の分布定数線路を用いて第２受信用インダクタ63を構成しても構わない。
【００６４】
またさらに、受信制御用インダクタ81は、第２受信信号の周波数で充分に高インピーダンスになるように設計されており、第２受信信号が受信制御端子８へ漏れるのを防止する機能を有する。このため、送信信号の高調波の周波数帯域内の周波数においても高インピーダンスであるので、送信信号の高調波をアースへ逃がすことには殆ど寄与しないが、受信制御用インダクタ81，電流制御用抵抗95およびバイパスキャパシタ96も直列共振の周波数に多少は影響を与えるので、これらも考慮して計算を行って第２受信用インダクタ63のインダクタンスを決定することにより、より正確に直列共振周波数をコントロールすることができる。
【００６５】
さらにまた、送信制御用インダクタ71は、送信信号の周波数で充分に高インピーダンスになるように設計されており、送信信号が送信制御端子７へ漏れるのを防止する機能を有する。この送信制御用インダクタ71および前述の受信制御用インダクタ81としては、チップインダクタを用いることも可能であるが、例えば、ストリップラインやマイクロストリップライン等の分布定数線路を用いても構わない。
【００６６】
本発明は前述した実施の形態の例に限定されることなく、本発明の要旨を逸脱しない範囲において種々の変更および改良が可能である。
【００６７】
例えば、上述した実施の形態の例においては、インピーダンス反転用ストリップ線路91およびインピーダンス反転用インダクタ92およびインピーダンス反転用キャパシタ93を用いてインピーダンス反転回路90を形成した例を示したが、インピーダンス反転用ストリップ線路91のみを用いてインピーダンス反転回路90を形成しても構わない。
【００６８】
また、受信用フィルタ22および第２受信用フィルタ62が直流通過可能である場合には、受信用フィルタ22と受信端子２との間および第２受信用フィルタ62と第２受信端子６との間にＤＣカット用キャパシタ97を挿入してもよい。
【００６９】
さらに、前述した実施の形態の例で示した直列共振形成用キャパシタ94，電流制御用抵抗95，バイパスキャパシタ96およびＤＣカット用キャパシタ97については、場合に応じて位置の変更，他の部品への置き換えおよび省略等が可能である。
【実施例】
【００７０】
次に、本発明のアンテナスイッチ回路の具体例について、図１に示した実施の形態の第１の例のアンテナスイッチ回路100を例にとって説明する。
【００７１】
なお、本例のアンテナスイッチ回路100では、送信回路103をＤＣＳ（Digital Cellular System）の送信回路103とし、受信回路をＤＣＳの受信回路としたので、送信信号の周波数帯域は1710ＭＨｚ〜1785ＭＨｚ、受信信号の周波数帯域は1805ＭＨｚ〜1880ＭＨｚとなり、また、減衰させる送信信号の高調波として３倍波を選択して、その周波数帯域である5130ＭＨｚ〜5355ＭＨｚの範囲内で直列共振を生じさせるようにして、図１に示した回路図で示されるアンテナスイッチ回路100の設計を行なった。なお、受信用ダイオード21にはＰＩＮダイオードを使用し、受信用フィルタ22にはラダー型の弾性表面波フィルタを使用し、受信用インダクタ23にはチップインダクタを使用した。そして、受信用フィルタ22の部分には測定によって得たＳパラメータを用いて図１に示したアンテナスイッチ回路100の電気特性のシミュレーションを行なった。その結果を図４に示す。
【００７２】
図４は図１に示した本発明のアンテナスイッチ回路100の実施の形態の第１の例における送信端子３とアンテナ端子１との間の通過特性を示すグラフである。グラフにおいて、横軸は周波数（単位：ＧＨｚ）を示し、縦軸は減衰量（単位：ｄＢ）を示す。また、送信信号の周波数帯域をｆ１で示し、送信信号の３倍波の周波数帯域をｆ３で示す。そして、オフ時の受信用ダイオード21の静電容量および受信用インダクタ23のインダクタンスおよび受信用ダイオード21側から見た受信用フィルタ22のインピーダンスによって、送信信号の３倍波の周波数帯域ｆ３内の周波数で直列共振が生じるように受信用インダクタ23のインダクタンスを設定した場合の通過特性を401で示した。また、比較例として、オフ時の受信用ダイオード21の静電容量および受信用インダクタ23のインダクタンスおよび受信用ダイオード21側から見た受信用フィルタ22のインピーダンスによって生じる直列共振の周波数が送信信号の３倍波の周波数帯域ｆ３から外れるように、受信用インダクタ23のインダクタンスを設定した場合の通過特性を402で示す。
【００７３】
図４に示す結果からわかるように、オフ時の受信用ダイオード21の静電容量および受信用インダクタ23のインダクタンスおよび受信用ダイオード21側から見た受信用フィルタ22のインピーダンスによって、送信信号の３倍波の周波数帯域ｆ３内の周波数で直列共振が生じるように受信用インダクタ23のインダクタンスを設定した場合には、401で示すように、送信信号の周波数帯域ｆ１における減衰は小さく、且つ送信信号の３倍波の周波数帯域ｆ３では充分に減衰した良好な通過特性が得られている。しかしながら、オフ時の受信用ダイオード21の静電容量および受信用インダクタ23のインダクタンスおよび受信用ダイオード21側から見た受信用フィルタ22のインピーダンスによって生じる直列共振の周波数が送信信号の３倍波の周波数帯域ｆ３から外れるように、受信用インダクタ23のインダクタンスを設定した場合には、402で示すように、送信信号の３倍波の周波数帯域ｆ３で殆ど減衰しない通過特性になっている。受信用インダクタ23がない場合にも402と同等の通過特性になった。これにより、本発明のアンテナスイッチ回路によれば、単純な回路構成を有し、送信信号の高調波を減衰させる機能を備えたアンテナスイッチ回路が得られることが確認できた。
【図面の簡単な説明】
【００７４】
【図１】本発明のアンテナスイッチ回路の実施の形態の一例を示す回路図である。
【図２】本発明のアンテナスイッチ回路の実施の形態の他の例を示す回路図である。
【図３】本発明のアンテナスイッチ回路の実施の形態のさらに他の例を示す回路図である。
【図４】本発明のアンテナスイッチ回路の実施の形態の第１の例における、送信端子３とアンテナ端子１との間の通過特性のシミュレーション結果である。
【符号の説明】
【００７５】
１：アンテナ端子
２：受信端子
３：送信端子
４：制御端子
５：第１受信端子
６：第２受信端子
７：送信制御端子
８：受信制御端子
21：受信用ダイオード
22：受信用フィルタ
23：受信用インダクタ
30：送信側スイッチ回路
32：送信用ダイオード
33：送信用キャパシタ
41：制御用インダクタ
50：第１受信スイッチ回路
52：第１受信用ダイオード
61：第２受信用ダイオード
62：第２受信用フィルタ
63：第２受信用インダクタ
71：送信制御用インダクタ
81：受信制御用インダクタ
91：インピーダンス反転用ストリップ線路
100，200，300：アンテナスイッチ回路
101：アンテナ
102：受信回路
103：送信回路
104：制御回路
105：第１受信回路
106：第２受信回路
【図１】
2008294699.tif 000003
【図２】
2008294699.tif 000004
【図３】
2008294699.tif 000005
【図４】
2008294699.tif 000006